(57)【特許請求の範囲】
【請求項１】
ガスが通過するガス流路に設けられた、該ガス流路を遮断するためのガス弁と、
前記ガス弁の遮断及び復帰の動作制御を行うガス弁制御手段と、
前記ガス弁制御手段が前記動作制御を行った後に、前記ガス弁の状態を確認し、ガス弁状態情報として得て、履歴として記録させるガス弁状態確認手段とを備え、
記録された前記ガス弁状態情報は、通信回線を介して外部装置へ自動的に発信され、前記外部装置からその履歴を閲覧可能であり、
前記ガス弁制御手段は、前記外部装置からの命令によっても前記ガス弁の動作制御を行うことを特徴とするガス流路遮断装置。
【請求項２】
前記ガス弁状態情報の発信は、前記ガス弁状態確認手段が動作してから所定の時間が経過した後に行われることを特徴とする請求項１に記載のガス流路遮断装置。
【請求項３】
前記ガス弁制御手段がガス弁を遮断する制御を行った後、前記ガス弁状態情報が、前記ガス弁の非遮断状態を示す場合、前記ガス弁制御手段は、再び前記ガス弁を遮断する制御を行うことを特徴とする請求項１または２に記載のガス流路遮断装置。
【請求項４】
ガスメータに一体化して用いられることを特徴とする請求項１ないし３のいずれかに記載のガス流路遮断装置。
【請求項５】
前記ガス弁状態情報は、自動検針を行うネットワーク上で伝達されることを特徴とする請求項１ないし４のいずれかに記載のガス流路遮断装置。
【請求項６】
記録された前記ガス弁状態情報は、前記外部装置からのアクセスに応じて、前記外部装置から閲覧できることを特徴とする請求項１ないし５のいずれかに記載のガス流路遮断装置。
【請求項７】
請求項１に記載のガス流路遮断装置の、前記ガス弁の遮断及び復帰の動作制御を行う前記ガス弁制御手段、および、前記ガス弁の状態を確認しガス弁状態情報として得て、履歴として記録させる前記ガス弁状態確認手段としてコンピュータを機能させるためのプログラムを記録したことを特徴とするプログラム記録媒体。
【発明の詳細な説明】
【０００１】
【発明の属する技術分野】
本発明は、ガス流路にて用いられる、ガスの流れを遮断するためのガス流路遮断装置に関する。
【０００２】
【従来の技術】
従来より、ガスメータにはガスの送入出に際して異常が生じた際に、ガス流路を遮断して危険を回避する安全機能を備えたものがある。
【０００３】
図８は、従来の技術による安全機能を備えたガスメータの構成を示す図である。図に示すように、ガスメータ８００において、ガス導入口８０１は、例えば図示しない外部ガス配管またはガスボンベなどに接続してガスの流入を受ける手段、ガス導出口８０２は、例えば家庭内のガス配管に接続してガスを導出する手段である。またガス導入流路８０３、ガス室８０４およびガス導出流路８０５は、ガスメータ８００内部にてガスを流通させるガス流路を形成する手段、遮断弁８５４、流量センサ８５１および圧力センサ８５２はガス導入流路８０３に備えられた手段、地震センサ８５３はガスメータ８００の本体内に備えられた手段である。さらに制御手段８５０は遮断弁８５４、流量センサ８５１、圧力センサ８５２、地震センサ８５３と接続し、制御する機能を有するとともに、有線または無線により、図示しないＴ−ＮＣＵ（Terminal Network Control Unit）などの外部通信端末と情報の授受を行う手段である。なお遮断弁８５４は、例えば電磁弁により実現され、弁体８５５および弁座部材８５６と協動して動作する手段である。
【０００４】
次に、図９は、ガスメータ８００における制御手段８５０の内部構成を示す図である。図において、図９と同一符号は、同一部または同一手段であり、また安全判断手段９００は、流量センサ８５１、圧力センサ８５２および地震センサ８５３からの入力を受けて、各種制御命令を発行する手段、遮断弁駆動手段９０１は、遮断弁８５４を動作させる手段である。また表示制御回路９０５は安全判断手段９００から出力されたデータを表示可能な形式にする手段、表示手段９０６は表示制御回路９０５から出力された信号を表示する手段である。またタイマ９０２は時間や時刻を計測して安全判断手段９００へ出力する手段、履歴記録手段９０４は、安全判断手段９００が行った動作履歴やデータなどを記録する手段、送受信手段９０３は、図示しない外部通信端末に対して、安全判断手段９００が有するデータの授受を行う手段である。
【０００５】
上記のような構成を有する、従来の技術によるガスメータの動作は、以下のようなものである。ガスメータ８００にガスが供給されているとき、流量センサ８５１は、ガス室８０４を通過するガスの変化を検出し、また圧力センサ８５２はガス導入流路８０３内のガスの圧力を検出し、それぞれ検出した値を制御手段８５０へ出力している。また地震センサ８５３は、ガスメータ８００に加えられる震度を検出し、制御手段８５０へ出力している。
【０００６】
制御手段８５０においては、流量センサ８５１が検出するガスの流量が、あらかじめ定めた所定の範囲内にある場合は、安全判断手段９００は従前の動作を続け、ガスメータ８００へのガスの導入を続ける。これは圧力センサ８５２および地震センサ８５３においても同様で、安全判断手段９００は、上記のそれぞれのセンサが検出した値を、設定した値の範囲内にあるかどうかを判断し、範囲内にある場合は、現状のまま動作を続ける。
【０００７】
次に、流量センサ８５１または圧力センサ８５２のどちらかが、前記所定の範囲の値と異なる異常値を検出した場合は、安全判断手段９００は、ガスの送出入に異常があると判断して、遮断弁駆動手段９０１に遮断弁を閉止動作する遮断命令を発行する。遮断弁駆動手段９０１は、遮断命令を受けると、遮断弁８５４に駆動信号を入力する。遮断弁８５４は、駆動信号の入力を受けると閉止動作を行い、ガス導入流路８０３を遮断し、外部からのガスの流入を停止する。
【０００８】
ここで、流量センサ８５１が異常値を検出する場合としては、おもにガスの異常漏れまたはガスメータ８００に接続されたガス機器のスイッチの不具合などがある。異常漏れはガス流路を流れるガスの流量がある所定の高い値を超える場合であり、またガス機器のスイッチの不具合とは、前記ガス流路を流れるガスの流量が所定の低い値を超えた状態であって、さらにこの状態を検出してから、タイマ９０２の時間計測が、所定の時間を超過した場合を指す。
【０００９】
さらに、地震センサ８５３が検出する震度が所定の値を超えている場合は、安全判断手段９００は地震であると判断して、上記と同様に遮断弁駆動手段９０１に閉止動作の制御を行わせる。
【００１０】
これら異常漏れ、接続ガス機器の不具合および地震といった異常は、制御手段８５０および表示手段９０６によって利用者に告知されるとともに、異常情報として送受信手段９０３によってＴ−ＮＣＵに送信される。異常情報を受けたＴ−ＮＣＵは、これを自動検針を統括する中央の管理端末に連絡する。また、履歴記録手段９０４は、安全判断手段９００が判断した遮断発生原因（遮断事象）や、各センサの検出したデータ、さらに安全判断手段９００が遮断弁駆動手段９０１へ発行した遮断命令の履歴を記録する。
【００１１】
【発明が解決しようとする課題】
従来の技術によるガスメータの動作は以上のようなものであるが、しかしながら、このような従来のガスメータによれば、履歴記録手段９０４が遮断命令の発行の履歴を残しているので、それを確認することはできたが、実際に遮断弁８５４が閉止していることを確認するものではなかった。そのため、遮断弁８５４に異常が生じて、ガス流路の遮断が完全に行われていない場合、異常状態から生ずる事故を回避できない恐れがあるという課題があった。
【００１２】
本発明は、上記の課題に鑑みてなされたものであり、確実に遮断を行うことができたかを確認し、安全な遮断処理を確保できるガス遮断装置およびそのプログラム記録媒体を提供することを目的とする。
【００１３】
【課題を解決するための手段】
上記の目的を達成するために、第１の本発明（請求項１に対応）は、
ガスが通過するガス流路に設けられた、該ガス流路を遮断するためのガス弁と、
前記ガス弁の遮断及び復帰の動作制御を行うガス弁制御手段と、
前記ガス弁制御手段が前記動作制御を行った後に、前記ガス弁の状態を確認し、ガス弁状態情報として得て、履歴として記録させるガス弁状態確認手段とを備え、
記録された前記ガス弁状態情報は、通信回線を介して外部装置へ自動的に発信され、前記外部装置からその履歴を閲覧可能であり、
前記ガス弁制御手段は、前記外部装置からの命令によっても前記ガス弁の動作制御を行うことを特徴とするガス流路遮断装置である。
【００１６】
また、第２の本発明（請求項３に対応）は、前記ガス弁制御手段がガス弁を遮断する制御を行った後、前記ガス弁状態情報が、前記ガス弁の非遮断状態を示す場合、前記ガス弁制御手段は、再び前記ガス弁を遮断する制御を行うことを特徴とする第１の本発明のガス流路遮断装置である。
【００１７】
また、第３の本発明（請求項４に対応）は、ガスメータに一体化して用いられることを特徴とする第１または第２の本発明のガス流路遮断装置である。
【００１８】
また、第４の本発明（請求項５に対応）は、前記ガス弁状態情報は、自動検針を行うネットワーク上で伝達されることを特徴とする第１ないし第３のいずれかの本発明のガス流路遮断装置である。
また、第５の本発明（請求項６に対応）は、記録された前記ガス弁状態情報は、前記外部装置からのアクセスに応じて、前記外部装置から閲覧できることを特徴とする第１ないし第４のいずれかの本発明のガス流路遮断装置である。
【００１９】
また、第６の本発明（請求項７に対応）は、第１の本発明のガス流路遮断装置の、前記ガス弁の遮断及び復帰の動作制御を行う前記ガス弁制御手段、および、前記ガス弁の状態を確認しガス弁状態情報として得て、履歴として記録させる前記ガス弁状態確認手段としてコンピュータを機能させるためのプログラムを記録したことを特徴とするプログラム記録媒体である。
【００２０】
【発明の実施の形態】
以下、本発明の実施の形態を、図面を参照して説明する。
（実施の形態１）
図１は、本発明のガス流路遮断装置の構成を示す図である。図に示すように、図８および図９と同一符号は同一部分または同一手段であり、ガス流路遮断装置１００は、図２に示すガスメータ２００において、制御手段１５０内に配置された遮断弁確認手段１０１および遮断弁駆動手段９０１と、ガス導入流路８０３に配置された遮断弁８５４とを備えている。ここで遮断弁８５４としては、電磁弁を用いた。ただし、請求項記載のガス弁制御手段は本実施の形態に記載の遮断弁駆動手段９０１に、ガス弁状態確認手段は本実施の形態に記載の遮断弁確認手段１０１にそれぞれ対応し、また請求項記載のガス弁は、本実施の形態に記載の遮断弁８５４に対応するものである。
【００２１】
また、図３（ａ）（ｂ）は、本発明のガス流路遮断装置１００における遮断弁８５４の構成を模式的に示す断面図である。図に示すように、図８と同一符号は同一部分または同一手段であり、ハウジング３００はプランジャ３０２、永久磁石３０３およびコイル３０１を格納する手段、スプリング３０４は弁体８５５とハウジング３００との間に配置された手段、プランジャ３０２は弁体８５５とハウジング３００とを接続するスライド式に伸縮する複数の円筒から構成された手段、開口部３０５は弁座部材８５６の一部に開口された孔である。なお、永久磁石３０３およびコイル３０１はハウジング３００によって外部からシールドされている。
【００２２】
この遮断弁８５４のコイル３０１には、通常時においては電流が流れていない。つまり、図３（ａ）に示すように、永久磁石３０３の磁力が図中実線矢印で示すように作用しており、この永久磁石３０３の磁力によって、プランジャ３０２はスプリング３０４を圧縮した状態で引き込まれ、開口部３０５が解放されている。その結果、ガスは図中鎖線矢印で通過するように開口部３０５を通過する。遮断弁８５４を遮断状態にするには、図３（ｂ）に示すようにコイル３０１に電流を流し、永久磁石３０３による磁界を打ち消す磁界を生成する。ここで、コイル３０１による磁力線の方向を点線矢印で示す。このように永久磁石３０３の磁界が打ち消されると、スプリング３０４の弾性力によりプランジャ３０２はハウジング３００より突出し、弁体８５５によって開口部３０５が閉塞される。
【００２３】
さらに遮断弁８５４を復帰するには、上述の遮断状態の場合とは逆向きの電流をコイル３０１に流し、永久磁石３０３による磁界を強める磁界を生成する。これによりプランジャ３０２はスプリング３０４の弾性力にうち勝ってハウジング３００の内部に引き込まれ、結果として開口部３０５が解放され、ガスが再び通過するようになる。
【００２４】
次に図７は、本発明のガス流路遮断装置１００が備えられたガスメータ２００が接続している自動検針用のネットワークの構成を示す図である。図に示すように、自動検針ネットワーク７００において、Ｔ−ＮＣＵ７０１はガスメータ２００と接続して電話回線網７０２を介して通信を行う手段、Ｃ−ＮＣＵ７０３はセンタ局７０４と接続して電話回線網７０２を介して通信を行う手段、センタ局７０４は、ガスメータ２００と通信して情報の授受や検針、もしくは該ガスメータ２００の制御を行う手段である。
【００２５】
また、図４は、本発明の実施の形態１によるガス流路遮断装置１００を内蔵したガスメータ２００の動作手順を示すフローチャートである。
【００２６】
以上のような構成を有する本発明のガス流路遮断装置について、以下、前記フローチャートを参照しながらその動作を説明する。
【００２７】
はじめに、通常時、すなわち流量センサ８５１、圧力センサ８５２および地震センサ８５３が異常値を検出しておらず、安全判断手段９００が従前の動作を継続している場合は、従来のガスメータの動作と同様なので、説明を省略する。
【００２８】
次に、上記各センサが異常値を検出して、制御手段１５０がガス流入を停止する場合の動作について説明する。
【００２９】
まず、ステップＳ１として、流量センサ８５１、圧力センサ８５２もしくは地震センサ８５３のいずれかが、あらかじめ設定した所定の範囲の値と異なる異常値を検出した場合は、安全判断手段９００はガスの送出入に異常があると判断し、遮断弁駆動手段９０１に遮断弁８５４の閉止を行わせるための遮断命令を発行する。このとき、遮断命令の発行の動作は、ガスメータ２００の動作履歴として履歴記録手段９０４に記録される。
【００３０】
次に、ステップＳ２では、遮断弁駆動手段９０１は、前記遮断命令を受けると、遮断弁８５４を動作させるための駆動信号を出力する。遮断弁８５４は前記駆動信号の入力を受けると遮断動作を行い、ガス導入流路８０３は閉止される。
【００３１】
続いてステップＳ３では、遮断弁確認手段１０１は、安全判断手段９００が遮断弁駆動手段９０１に遮断命令を発信してから所定の時間が経過した後、遮断弁８５４に対し該遮断弁８５４の状態がどのようになっているか確認を行う。上述したように、遮断弁８５４は、コイル３０１に電流を流すことによって磁界を制御して遮断および復帰の動作を行わせるものであるが、遮断弁８５４の動作状態により、コイル３０１のインダクタンスは変動する。遮断弁確認手段１０１はこのコイル３０１のインダクタンスの変動を測定することによって遮断弁８５４の動作状態を確認する。確認された遮断弁８５４の動作状態は、遮断弁状態情報として、安全判断手段９００へ転送される。特に遮断弁８５４に異常がない場合は、遮断弁状態情報は遮断弁８５４が「遮断」、つまりガス流路を閉止している状態であることを示すものになり、遮断弁８５４が正常に動作していない時は遮断弁８５４が「復帰」、すなわちガス流路を閉止していない状態にあることを示すものになる。
【００３２】
ステップＳ４では、安全判断手段９００は遮断弁状態情報を、さらに履歴記録手段９０４に記録する。
【００３３】
ここで図６に、履歴記録手段９０４の具体例となるアラーム情報テーブル６００を示す。図に示すように、安全判断手段９００は、各センサから取得した情報に基づいて、ガスメータ２００の状態をアラーム情報テーブル６００上に配置して、履歴記録手段９０４に記録している。例えば、安全判断手段９００が特に異常を判断していない場合は通常モードとしてアドレスＡ１に情報が記録される。ここで遮断弁状態情報は、アドレスＡ２に「遮断」または「復帰」の二者択一のコードとして記録される。
【００３４】
ステップＳ５にて、遮断弁制御装置１００は動作を終了する。
【００３５】
次に、ステップＳ６では、制御手段１５０は通信制御を開始する。安全判断手段９００は、履歴記録手段９０４より、上記ステップＳ１〜Ｓ５の動作の動作履歴を示すアラーム情報テーブル６００を再び取得する。このときアラーム情報テーブル６００には、前記遮断弁状態情報が含まれている。
【００３６】
ステップＳ７では、安全判断手段９００は、上記のアラーム情報テーブル６００を、送受信手段９０３を用いてＴ−ＮＣＵ７０１へ自動的に送信する。さらにＴ−ＮＣＵ７０１はアラーム情報テーブル６００を電文として、センタ局７０４へ発信する。
【００３７】
最後にステップＳ８にて、制御手段１５０は通信制御の動作を終了する。
【００３８】
ガスメータ２００側の動作は以上で終了するが、さらにセンタ局７０４は、受信したアラーム情報テーブル６００中の遮断弁状態情報および他の情報を参照して、ガスメータ２００を遠隔制御することができる。例えば、図中のアドレスＡ４が「ガス流量異常遮断」を示し、かつアドレスＡ２の遮断弁状態情報が「復帰」（遮断弁が閉止状態でない）を示す場合は、センタ局７０４は、ガスメータ２００の制御手段１５０に対し、再度遮断弁８５４を動作させる旨の命令を送信する。制御手段１５０はセンタ局７０４からの命令を受信すると、再度ステップＳ１〜Ｓ８の動作を行う。
【００３９】
またセンタ局７０４側では、受信した遮断弁状態情報に基づき、ガスメータ２００の管理を行う者が、直ちにガスメータ２００の修理を行うこともできる。
【００４０】
このように、本実施の形態１のガス流路遮断装置によれば、制御弁状態情報をセンタ局７０４に対して送信するようにしたことにより、ガスメータに不具合があって制御弁が正常に動作していない場合にも対応してガスメータの安全性を高めることができる。
（実施の形態２）
図５は、本発明の実施の形態２によるガス流路遮断装置１００の動作手順を示すフローチャートである。以下、これを参照しながら動作を説明する。
【００４１】
まず、ステップＳ１では、本実施の形態１と同様、流量センサ８５１、圧力センサ８５２もしくは地震センサ８５３のいずれかが、あらかじめ設定した所定の範囲の値と異なる異常値を検出した場合は、安全判断手段９００はガスの送出入に異常があると判断して、遮断弁駆動手段９０１に遮断弁８５４の閉止を行わせるための遮断命令を発行する。このとき、遮断命令の発行の動作は、ガスメータ２００の動作履歴として履歴記録手段９０４に記録される。
【００４２】
ステップＳ２では、遮断弁駆動手段１０１は、前記遮断命令を受けると、遮断弁８５４を動作させるための駆動信号を出力する。遮断弁８５４は、前記駆動信号の入力を受けると遮断動作を行う。
【００４３】
ステップＳ３では、遮断弁確認手段１０１は、安全判断手段９００が遮断弁駆動手段９０１に対し遮断命令を発行してから所定の時間が経過した後、遮断弁８５４に対し遮断弁８５４の状態がどのようになっているか確認を行う。次いで遮断弁確認手段１０１が確認した遮断弁８５４の状態は、遮断弁状態情報として安全判断手段９００に転送される。
【００４４】
次に、ステップＳ９では、安全判断手段９００は、取得した遮断弁状態情報から、遮断弁８５４が正常に遮断動作を行っているかどうかを判断する。遮断動作が正しく行われていると判断した（図６中のアドレスＡ２が「遮断」を示す）場合はステップＳ４、ステップＳ５へ進み、さらに図４のフローチャートに示す本実施の形態１のステップＳ６以降の動作へ移行する。一方、遮断動作が行われてないと判断した（図７中のアドレスＡ２が「復帰」を示す）場合はステップＳ１０に進む。
【００４５】
ステップＳ１０では、安全判断手段９００は、現在行なわれている遮断制御の動作が、ステップＳ１での異常状態の判断以後、初めて行われたものか、または再試行のものであるかを判断する。再試行を行ったと判断した場合は、ステップＳ４に進み、以後は本実施の形態１のステップＳ６以降の動作へ移行する。ただしこの時、遮断弁状態情報の示す情報は「復帰」であるから、履歴記録手段９０４には遮断動作が行われなかった旨の情報が履歴として記録されることになる。
【００４６】
また、現在の遮断制御の動作が、初めて行われたものと判断した場合は、ステップＳ１へ戻って、安全判断手段９００は再び遮断命令を遮断弁駆動手段９０１へ発行するとともに、一連の動作を繰り返す。
【００４７】
このように、本実施の形態２のガス流路遮断装置によれば、遮断弁の動作状態を確認した後、動作状態に不具合がある場合は再度遮断弁を動作させるようにしたことにより、ガス流路閉止の信頼性をより高めることができる。
【００４８】
なお、本実施の形態においては、履歴記録手段９０４には、単にステップＳ１１での遮断弁状態情報が記録されるものとして説明を行ったが、ステップＳ１０での安全判断手段９００による判断動作や、該判断動作に基づく遮断制御動作の再試行などの履歴を併せて記録するようにしてもよい。
【００４９】
また、本実施の形態においては、ステップＳ１０における遮断制御の回数の判定は、一度の再試行によるかどうかに基づくものとして説明を行ったが、これは所定の複数回行わせるようにしてもよい。
【００５０】
また、本発明のいずれの実施の形態においても、ステップＳ６以降の動作は、ステップＳ５の動作が終了してから、ガスメータ２００側の設定により所定の時間の後に自動的に発信されるものとして説明を行ったが、センタ局７０４が自発的に任意の時刻あるいは定期的にガスメータ２００にアクセスして、制御手段１５０内の履歴記録手段９０４からアラーム情報テーブル６００を直接閲覧するようにしてもよい。
【００５１】
また、本発明のいずれの実施の形態においても、遮断弁確認手段１０１は、遮断弁８５４内のコイル３０１のインダクタンスの変化を検出することにより、遮断弁８５４が閉止しているか否かを確認するものとして説明を行ったが、これに限らず、例えば、遮蔽弁８５４において、ハウジング３００のシールドを一部開放して、該開放箇所にコイル３０１の磁界変化に応じて動作するセンサスイッチを設け、このセンサスイッチの動作を確認することにより遮断弁８５４の状態を確認するようにしてもよい。
【００５２】
また、本発明のいずれの実施の形態においても、履歴記録手段９０４に記録されている遮断弁状態情報を含むアラーム情報テーブルの内容や、各ステップ毎の動作履歴は、表示制御回路９０５および表示手段９０６を通して直接目視して確認できるようにしてもよい。
【００５３】
また、本発明のいずれの実施の形態においても、遮断弁駆動手段９０１と、遮断弁確認手段１０１とは一体化した構成としてもよい。
【００５４】
また、本実施のいずれの形態においても、本発明のガス流路遮断装置は、家庭用ガスメータに設置して用いるものとして説明を行ったが、これに限定する必要はなく、工業用ガスや各種気体の配管の入出用のバルブもしくは分配用の分岐栓に設置して用いてもよい。
【００５５】
また、本発明のいずれの実施の形態においても、各部または各手段の動作は、ハードウェア的に実現したものとしたが、これはコンピュータを用いてプログラムの働きにより、ソフトウェア的に実現してもよい。
【００５６】
また、本発明のいずれの実施の形態においても、本発明のガス流路遮断装置を中心に説明したが、本発明の記録媒体として、以上説明した各部または手段の機能の全部または一部をコンピュータに実行させるプログラムを格納する記録媒体を用いてもよい。
【００５７】
【発明の効果】
以上説明したところから明らかなように、本発明によれば、一旦遮断弁を制御してガス流路を閉止した後、遮断弁が正しく閉止した状態にあるかどうかを確認することができるので、ガスメータの故障等に起因する遮断弁の不作動を発見できる、信頼性を一層高めたガス流路遮断装置が得られるという効果がある。
【００５８】
また、本発明によれば遠隔制御により遮断制御を行う際に、ヒューマンエラーを防ぐことができる効果がある。
【図面の簡単な説明】
【図１】本発明のガス遮断装置とその周辺回路の構成を示す図
【図２】本発明のガス遮断装置を備えたガスメータの構成を模式的に示す図
【図３】図１における遮断弁８５４の構成を模式的に示す断面図
【図４】本発明の実施の形態１によるガス遮断装置の動作手順を示すフローチャート
【図５】本発明の実施の形態２によるガス遮断装置の動作手順を示すフローチャート
【図６】本発明のガス遮断装置にて用いられるアラーム情報テーブルの構成を示す図
【図７】本発明のガス遮断装置を用いた自動検針ネットワークの構成を示す図
【図８】従来の技術によるガスメータの構成を示す図
【図９】図８における制御手段８５０とその周辺機器の構成を示す図
【符号の説明】
１００  ガス流路遮断装置
１０１  遮断弁確認手段
１５０、８５０  制御手段
２００、８００  ガスメータ
３００  ハウジング
３０１  コイル
３０２  プランジャ
３０３  永久磁石
３０４  スプリング
３０５  開口部
６００  アラーム情報テーブル
７００  自動検針ネットワーク
７０１  Ｔ−ＮＣＵ
７０２  電話回線網
７０３  Ｃ−ＮＣＵ
７０４  センタ局
８０１  ガス導入口
８０２  ガス導出口
８０３  ガス導入流路
８０４  ガス室
８０５  ガス導出流路
８５１  流量センサ
８５２  圧力センサ
８５３  地震センサ
８５４  遮断弁
８５５  弁体
８５６  弁座部材
９００  安全判断手段
９０１  遮断弁駆動手段
９０２  タイマ
９０３  送受信手段
９０４  履歴記録手段
９０５  表示制御回路
９０６  表示手段
【図１】
0004558857.tif 000002
【図２】
0004558857.tif 000003
【図３】
0004558857.tif 000004
【図４】
0004558857.tif 000005
【図５】
0004558857.tif 000006
【図６】
0004558857.tif 000007
【図７】
0004558857.tif 000008
【図８】
0004558857.tif 000009
【図９】
0004558857.tif 000010